(57)【要約】【解決手段】上部フレーム１と、底部２と、上部フレームにその上端部が枢支されたはね上げ側壁３と、上部分割側壁４’と下部分割側壁４”とを有する分割側壁４とからなる折り畳みコンテナーにおいて、底部の周枠部付近に位置する底板部２ａの上面に、周枠部２ｂに略垂直な底部リブ２ｄを形成し、該底部リブに、折り畳みコンテナーの箱型への組み立ての最終段階におけるはね上げ側壁の下端部を接触させるように構成したものである。【効果】底部の周枠部付近に位置する底板部の上面に、周枠部に略垂直な底部リブを形成し、該底部リブに、折り畳みコンテナーの箱型への組み立ての最終段階におけるはね上げ側壁の下端部を接触させるように構成したので、折り畳みコンテナーの箱型への組み立ての最終段階における、はね上げ側壁の回動が円滑になり、従って、折り畳みコンテナーの箱型への組み立て作業の作業性が向上する。【選択図】図１
2004161300.tif 000002
【特許請求の範囲】
【請求項１】
上部フレームと、底部と、上部フレームにその上端部が枢支されたはね上げ側壁と、上部分割側壁と下部分割側壁とを有する分割側壁とからなる折り畳みコンテナーにおいて、底部の周枠部付近に位置する底板部の上面に、周枠部に略垂直な底部リブを形成し、該底部リブに、折り畳みコンテナーの箱型への組み立ての最終段階におけるはね上げ側壁の下端部を接触させるように構成したことを特徴とする折り畳みコンテナー。
【発明の詳細な説明】
【０００１】
【発明の属する技術分野】
本発明は、種々の物品の保管、輸送或いは搬送等に使用される折り畳みコンテナーに関するものである。
【０００２】
【従来の技術】
図４〜図７を用いて、従来の折り畳みコンテナーについて説明する。
【０００３】
折り畳みコンテナーは、上部フレーム１と、底部２と、上部フレーム１にその上端部がヒンジ連結された、折り畳みコンテナーの内側方向に回動可能な側壁（以下、この側壁を、はね上げ側壁という。）３と、上下に分割されているとともに、適当なヒンジ部を介して連結された側壁（以下、この側壁を、分割側壁という。）４とを有しており、分割側壁４は、ヒンジ部を挟んで上方に位置する上部分割側壁４’と、ヒンジ部を挟んで下方に位置する下部分割側壁４”とから構成されており、且つ、上部分割側壁４’の上端部が、上部フレーム１にヒンジ連結されており、また、下部分割側壁４”の下端部が、底部２にヒンジ連結されている。
【０００４】
図４に示されている箱型状態の折り畳みコンテナーの略垂直状のはね上げ側壁３を、折り畳みコンテナーの内部方向に回動させて、図５に示されているように、略水平状態とし、次いで、分割側壁４を構成する上部分割側壁４’と下部分割側壁４”を連結しているヒンジ部を、折り畳みコンテナーの内部方向に移動させて、上部分割側壁４’と下部分割側壁４”とを重ねることにより、箱型状態の折り畳みコンテナーを、図６に示されているように、高さの低いコンパクトな状態に折り畳むことができるように構成されている。また、底部２に対して上部フレーム１を持ち上げて、略水平状態に重ねられている上部分割側壁４’と下部分割側壁４”を、互いに略面一になるように略垂直に立て、次いで、上部フレーム１に、その上端部がヒンジ連結されているはね上げ側壁３を、略水平状態から垂直方向に回動させることにより、折り畳まれた状態の折り畳みコンテナーを、箱型に組み立てるように構成されている。
【０００５】
底部２は、平面形状が略長方形状で、上面が平坦な底板部２ａと、底板部２ａの周縁を囲むように、且つ、底板部２ａに対して略垂直に形成された周枠部２ｂとを有している。また、はね上げ側壁３の下端には、はね上げ側壁３の板部３ａの下端から、板部３ａに対して略垂直で、且つ、外側に延在する下端水平梁３ｂが形成されている。
【０００６】
【発明が解決しようとする課題】
上述した従来の折り畳みコンテナーの箱型への組み立て作業の最終段階においては、はね上げ側壁３の下端水平梁３ｂが、底部２の上面が平坦な底板部２ａに接触しながら、略垂直に立てられて、箱型に組み立てられることになるが、はね上げ側壁３の下端水平梁３ｂと底部２の上面が平坦な底板部２ａとは面接触であり接触面積が大きいので、箱型への組み立て作業の最終段階におけるはね上げ側壁３の垂直方向への回動抵抗が大きく、従って、折り畳みコンテナーの箱型への組み立て作業の作業性が悪いという問題があった。
【０００７】
また、底部２の底板部２ａの裏面には、裏面に垂下された交差リブ２ｃ１からなる嵌合部２ｃが形成されている。箱型に組み立てられた折り畳みコンテナー同士を段積みした際に、下に位置する折り畳みコンテナーの開口部に、上に位置する折り畳みコンテナーの底部２の底板部２ａの裏面に形成された嵌合部２ｃが嵌合し、上に位置する折り畳みコンテナーの下に位置する折り畳みコンテナーに対する水平方向の移動が制限されて、安定した状態で、箱型に組み立てられた折り畳みコンテナー同士を段積みすることができるように構成されている。しかしながら、嵌合部２ｃの外周に位置する底板部２ａには、交差リブ２ｃ１が形成されていないので、強度的に弱く、従って、底部２の周枠部２ｂ付近や周枠部２ｂが損傷し易いという問題があった。
【０００８】
本発明の目的は、上述した従来の折り畳みコンテナーが有する課題を解決することにある。
【０００９】
【課題を解決するための手段】
本発明は、上述した目的を達成するために、上部フレームと、底部と、上部フレームにその上端部が枢支されたはね上げ側壁と、上部分割側壁と下部分割側壁とを有する分割側壁とからなる折り畳みコンテナーにおいて、底部の周枠部付近に位置する底板部の上面に、周枠部に略垂直な底部リブを形成し、該底部リブに、折り畳みコンテナーの箱型への組み立ての最終段階におけるはね上げ側壁の下端部を接触させるように構成したものである。
【００１０】
【実施例】
以下に、本発明の実施例について説明するが、本発明の趣旨を越えない限り何ら、本実施例に限定されるものではない。また、本発明の折り畳みコンテナーは、底部の構成が相違する以外は、実質的に、上述した従来の折り畳みコンテナーと同じ構成を有しているので、同じ構成部材については、同じ符号を使用するとともに、その詳細な説明は省略する。
【００１１】
本実施例においては、はね上げ側壁３の下端部が当接する、底部２の周枠部２ｂを構成する短辺枠２ｂ１側付近に位置する底部２の底板部２ａの上面には、短辺枠２ｂ１に略垂直な底部リブ２ｄが、複数個、形成されている。
【００１２】
上述した底部リブ２ｄは、底部２の周枠部２ｂを構成する短辺枠２ｂ１と底部２の底板部２ａとにより形成される隅部に形成されており、底部リブ２ｄの一方の端部は、短辺枠２ｂ１に連結されており、底部リブ２ｄのもう一方の端部には、下方に傾斜した傾斜面２ｄ１が形成されている。また、本実施例においては、底部リブ２ｄは、周枠部２ｂを構成する短辺枠２ｂ１に沿って、底部２の底板部２ａに形成された凹部２ａ１に形成されている。
【００１３】
上述したように、底部２の周枠部２ｂ付近に位置する底板部２ａの上面に、周枠部２ｂに略垂直な底部リブ２ｄを形成し、底部リブ２ｄに、折り畳みコンテナーの箱型への組み立ての最終段階における、略垂直状態のはね上げ側壁３の下端水平梁３ｂの裏面が、実質的に線接触するように構成したので、折り畳みコンテナーの箱型への組み立ての最終段階における、はね上げ側壁３の回動が円滑になり、従って、折り畳みコンテナーの箱型への組み立て作業の作業性が向上する。また、底部リブ２ｄの底部２中央部寄りの端部には、下方に傾斜した傾斜面２ｄ１が形成されているので、はね上げ側壁３の下端水平梁３ｂが、底部リブ２ｄに引っ掛かるようなことがなく、折り畳みコンテナーの箱型への組み立ての最終段階における、はね上げ側壁３の回動がより円滑になる。
【００１４】
また、底部リブ２ｄが、底部２の周枠部２ｂと底部２の底板部２ａとにより形成される隅部に形成されているので、底部２の周枠部２ｂ付近や周枠部２ｂの強度や剛性が向上し、ひいては、折り畳みコンテナーの強度や剛性が向上する。
【００１５】
更に、底部リブ２ｄの高さを、周枠部２ｂを越えない範囲で、高くすることにより、はね上げ側壁３の高さを低く形成することができる。従って、はね上げ側壁３の重量の軽減化、ひいては、折り畳みコンテナーの重量の軽減化を実現することができる。
【００１６】
【発明の効果】
本発明は、以上説明したように構成されているので、以下に記載されるような効果を奏する。
【００１７】
底部の周枠部付近に位置する底板部の上面に、周枠部に略垂直な底部リブを形成し、該底部リブに、折り畳みコンテナーの箱型への組み立ての最終段階におけるはね上げ側壁の下端部を接触させるように構成したので、折り畳みコンテナーの箱型への組み立ての最終段階における、はね上げ側壁の回動が円滑になり、従って、折り畳みコンテナーの箱型への組み立て作業の作業性が向上する。
【図面の簡単な説明】
【図１】図１は箱型に組み立てられる直前の状態の本発明の折り畳みコンテナーの部分斜視図である。
【図２】図２は箱型に組み立てられる直前の状態の本発明の折り畳みコンテナーの部分垂直断面図である。
【図３】図３は箱型に組み立てられた本発明の折り畳みコンテナーの部分垂直断面図である。
【図４】図４は従来の折り畳みコンテナーが箱型に組み立てられた状態の斜視図である。
【図５】図５は従来の折り畳みコンテナーの組み立て途中或いは折り畳み途中の斜視図である。
【図６】図６は従来の折り畳みコンテナーが折り畳まれた状態の斜視図である。
【図７】図７は箱型に組み立てられた従来の折り畳みコンテナーの部分垂直断面図である。
【符号の説明】
１・・・・・・・・上部フレーム
２・・・・・・・・底部
２ｄ・・・・・・・底部リブ
３・・・・・・・・はね上げ側壁
４・・・・・・・・分割側壁
４’・・・・・・・上部分割側壁
４”・・・・・・・下部分割側壁
【図１】
2004161300.tif 000003
【図２】
2004161300.tif 000004
【図３】
2004161300.tif 000005
【図４】
2004161300.tif 000006
【図５】
2004161300.tif 000007
【図６】
2004161300.tif 000008
【図７】
2004161300.tif 000009